(57)【要約】【課題】専用の操作子を設けることなく、表示手段の画質調整をより簡易に行う。【解決手段】光ディスク装置は、ＬＣＤの画質制御とは異なる機能が割り当てられたプッシュスイッチであるディスプレイスイッチ２８と、ＬＣＤの画質制御とは異なる機能が割り当てられたジョグダイヤル３０と、を有する。ＣＰＵ４０は、ディスプレイスイッチ２８およびジョグダイヤル３０の操作状態を判断し、両者に操作が加えられている場合にのみジョグダイヤル３０の操作量を表示制御部１６に出力する。表示制御部１６は、出力された操作量に応じて、ＬＣＤのコントラストを制御する。【選択図】図３
2006119396.tif 000002
【特許請求の範囲】
【請求項１】
表示手段と複数の操作子とを備えた電子機器であって、
表示手段の画質制御とは異なる機能が割り当てられ、ユーザからの操作が解除された場合には初期状態に復帰する第一操作子と、
表示手段の画質制御および第一操作子とは異なる機能が割り当てられ、ユーザから加えられた操作量に応じた値を出力する第二操作子と、
第一操作子および第二操作子の操作状態を判断し、両操作子に操作が加えられている場合にのみ第二操作子の操作量を出力する判断手段と、
判断手段から出力された操作量に基づいて、表示手段の画質を制御する表示制御手段と、
を有することを特徴とする電子機器。
【請求項２】
請求項１に記載の電子機器であって、
表示制御手段は、第二操作子の操作量に応じて表示手段のコントラストを制御することを特徴とする電子機器。
【請求項３】
請求項１または２に記載の電子機器であって、
第二操作子は、回転操作可能なジョグダイヤルであることを特徴とする電子機器。
【請求項４】
請求項１から３のいずれか１項に記載の電子機器であって、
第一操作子は、ユーザからの操作が解除された時点で、割り当てられた機能を発揮することを特徴とする電子機器。
【請求項５】
請求項４に記載の電子機器であって、
第一操作子は、所定時間以上、継続してユーザからの操作が加えられた場合には、当該操作が解除されても割り当てられた機能を発揮しないことを特徴とする電子機器。
【請求項６】
電子機器の表示手段の画質を制御する画質調整方法であって、
表示手段の画質制御とは異なる機能が割り当てられた第一操作子に対する操作の有無を判断するステップと、
表示手段の画質制御および第一操作子とは異なる機能が割り当てられた第二操作子に対する操作量を検出するステップと、
第一操作子に対する操作が維持されている場合にのみ、検出された第二操作子の操作量に応じて表示手段の画質を調整するステップと、
を有することを特徴とする画質調整方法。
【発明の詳細な説明】
【技術分野】
【０００１】
本発明は、表示手段を備えた電子機器、および、電子機器の表示手段の画質制御方法に関する。
【背景技術】
【０００２】
電子機器の多くは、その操作状況や運転状況を表示するための表示手段を備えている。表示手段としては、簡易に構成できる液晶表示ディスプレー（以下、「ＬＣＤ」という）が多く採用されている。このＬＣＤは、使用する周囲の環境、例えば、温度や明るさなどに応じて、その画質、特に、コントラストが大きく異なってくる。
【０００３】
そのため、ＬＣＤを備えた電子機器では、ＬＣＤのコントラスト等の画質を調整するための操作子が設けられている。しかしながら、コントラスト等の調整のために専用の操作子を設けることは、部品の増加を招き、結果としてコスト増加となる。また、画質調整のための専用の操作子を設けることは、小型化やデザイン性向上をも阻害する場合がある。
【０００４】
そこで、下記特許文献１には、楽曲の速度変更等のために設けられた回転型操作子を、ＬＣＤのコントラスト調整用操作子としても用いる電子楽器が開示されている。これは、コントロールパネルにモードスイッチを設け、当該モードスイッチにより回転型操作子のモードを切り替えている。すなわち、モードスイッチが押下されれば回転型操作子の出力をＬＣＤのコントラスト制御手段に接続し、再度モードスイッチが押下されれば回転型操作子の出力を楽曲の速度変更手段に接続する。
【０００５】
また、下記特許文献２には、電子楽器の電源がオンされると、所定の操作子にＬＣＤのコントラスト制御機能を割り当てる電子楽器が開示されている。電源投入後、その他の操作子から入力があれば、所定の操作子に対するＬＣＤのコントラスト制御機能の割り当てを解除するとともに該操作子本来の機能を割り当てる。
【０００６】
また、下記特許文献３には、ジョグダイヤルの左回転により設定項目の選択を、ジョグダイヤルの右回転により選択した設定項目の設定値調整を行う操作装置が開示されている。この操作装置では、設定項目としてＬＣＤのコントラストが選択可能であり、コントラストを選択した状態でジョグダイヤルを右回転させることで、コントラスト調整が可能である。
【０００７】
【特許文献１】特開平０４−６０５９１号公報
【特許文献２】特開平１０−６９２７６号公報
【特許文献３】特開２００２−７３２６５号公報
【発明の開示】
【発明が解決しようとする課題】
【０００８】
しかし、特許文献１の技術では、コントラスト等の調整専用の操作子が不要となる一方で、モード切替専用のスイッチが必要となり、結果として操作子の数削減が図れない。そのため、コスト低減や、小型化、デザイン性向上が阻害される。また、特許文献１ではモード切替スイッチのオン／オフによりモードを切り替えている。そのため、モード切替スイッチを一度押下してコントラス調整モードにした場合、再度モード切替スイッチを押下しなければ通常モードに戻らない。そのため、モード切替スイッチの再押下を忘れて、誤操作を招く可能性も高い。
【０００９】
特許文献２、３の技術によれば、モード切替のための専用のスイッチが不要であり、コストを削減でき得る。しかしながら、特許文献２の技術では、電源投入直後しか、コントラスト調整ができないため、コントラストを再調整するためには、電子楽器の電源を入れ直さなければならず、操作性が低下するという問題がある。また、特許文献３の技術では、操作が複雑であるばかりでなく、コントラスト調整を行う際には、マシンモードを設定するための専用の画面を表示させ、ジョグダイヤルを操作してコントラスト調整項目を選択しなければならないことから、全体として操作性が低下するという問題がある。
【００１０】
そこで、本発明では、専用の操作子を設けることなく、画質調整がより簡易にでき得る電子機器、および、画質調整方法を提供することを目的とする。
【課題を解決するための手段】
【００１１】
本発明の電子機器は、表示手段と複数の操作子とを備えた電子機器であって、表示手段の画質制御とは異なる機能が割り当てられ、ユーザからの操作が解除された場合には初期状態に復帰する第一操作子と、表示手段の画質制御および第一操作子とは異なる機能が割り当てられ、ユーザから加えられた操作量に応じた値を出力する第二操作子と、第一操作子および第二操作子の操作状態を判断し、両操作子に操作が加えられている場合にのみ第二操作子の操作量を出力する判断手段と、判断手段から出力された操作量に応じて、表示手段の画質を制御する表示制御手段と、を有することを特徴とする。
【００１２】
好適な態様では、表示制御手段は、第二操作子の操作量に応じて表示手段のコントラストを制御する。別の好適な態様では、第二操作子は、回転操作可能なジョグダイヤルである。別の好適な態様では、第一操作子は、ユーザからの操作が解除された時点で、割り当てられた機能を発揮する。その場合、第一操作子は、所定時間以上、継続してユーザからの操作が加えられた場合には、当該操作が解除されても割り当てられた機能を発揮しないことが望ましい。
【００１３】
他の本発明である画質調整方法は、電子機器の表示手段の画質を制御する画質調整方法であって、表示手段の画質制御とは異なる機能が割り当てられた第一操作子に対する操作の有無を判断するステップと、表示手段の画質制御および第一操作子とは異なる機能が割り当てられた第二操作子に対する操作量を検出するステップと、第一操作子に対する操作が維持されている場合にのみ、検出された第二操作子の操作量に応じて表示手段の画質を調整するステップと、を有する。
【００１４】
ここで、画質とは、コントラスト、輝度、水平、垂直位置等、表示される画像の品質に関わるパラメータ全般を指す。また、操作子とは、ユーザからの操作を受け付ける部材全般を指し、プッシュスイッチやジョグダイヤル、トルグスイッチ等の機械式スイッチのほか、タッチセンサ等の電気的スイッチも含む。第一操作子は、ユーザからの操作が解除された場合には初期状態に戻る操作子、例えば、プッシュスイッチやタッチセンサなどを含む。第二操作子は、ユーザから加えられた操作量に応じた値を出力する操作子、例えば、ジョグダイヤルやトラックボール、押下時間を出力する押下式スイッチなどを含む。
【発明の効果】
【００１５】
本発明によれば、第一操作子および第二操作子の両方に操作が加えられている場合にのみ、第二操作子が画質調整用操作子として機能する。したがって、専用の操作子を設けることなく、画質調整がより簡易にできる。
【発明を実施するための最良の形態】
【００１６】
以下、本発明の実施形態について図面を参照して説明する。図１は、本発明の実施形態である光ディスク装置１０の構成を示す概略ブロック図である。また、図２は、光ディスク装置１０の正面図である。この光ディスク装置１０は、記録媒体である光ディスクに記録されたデータを再生、または、光ディスクにデータを記録するための電子機器である。
【００１７】
光ディスク装置１０の前面には当該装置を操作するための操作パネル１４が設けられており（図２参照）、背面には他の機器からのデータ入出力を受け付けるための入出力端子（図示せず）が設けられている。操作パネル１４には、電源スイッチ３２、複数の操作子２２，２４，２８，３０、操作状況等をユーザに提示する表示部２６などが設けられている。操作パネル１４に設けられた操作子２２，２４，２８，３０や表示部２６は、バス等の接続線２０を介して主制御部１２に接続されている。主制御部１２は、装置全体の動作を制御するもので、操作パネル１４の操作に応じて、表示制御部１６や記録再生部１８を制御する。以下、この光ディスク装置１０について詳説する。
【００１８】
主制御部１２は、例えば、ＣＰＵ，ＲＯＭ，ＲＡＭ，Ｉ／Ｏポートからなるコンピュータで構成され、ＲＯＭに記憶した制御プログラムにより接続線２０を介して光ディスク装置１０全体を制御する。
【００１９】
操作パネル１４は、複数の操作子２２，２４，２８，３０および表示部２６を備えており、ユーザからの操作を受け付ける。各操作子２２，２４，２８，３０には、それぞれ機能が割り当てられており、ユーザは所望の機能が割り当てられた操作子を操作することにより光ディスク装置１０を操作できる。各操作子２２，２４，２８，３０に加えられた操作内容は主制御部１２に出力される。主制御部１２は、加えられた操作内容および当該操作子に割り当てられた機能に応じて、光ディスク装置１０の各部を制御する。
【００２０】
本実施形態では、この操作子の一つとしてジョグダイヤル３０およびディスプレイスイッチ２８を設けている。ジョグダイヤル３０は、回転操作が可能な操作子である。ジョグダイヤルの内部には、ロータリーエンコーダのような回転量、回転方向等が検出可能なセンサが設けられている。センサで検出された回転量等は、主制御部１２に出力される。このジョグダイヤル３０は、図２に示すように表示部２６の左側（向かって右側）に設けられており、他の操作子に比べて大きめとなっている。表示部２６の左側に設けているのは、操作パネル１４の正面に位置するユーザが右手でジョグダイヤルを操作した際に、表示部２６への視界が右手で遮られないようにするためである。また、他の操作子に比べ大きめとなっているのは、ジョグダイヤル３０を把持しやすくするためである。すなわち、このジョグダイヤル３０は、その周囲を把持して回転することにより操作する操作子である。したがって、片手で安定して把持でき得る程度の大きさとなっている。また、ジョグダイヤル３０の表面には窪み３０ｂが設けられており、当該窪み３０ｂに指を引っ掛けて動かすことにより、指一本でも操作でき得るようになっている。
【００２１】
このジョグダイヤル３０には、選択されているモードに応じて複数種類の機能が適宜、割り当てられる。モードは、記録再生状況や、モード切替専用の操作子を操作することにより切り替えられる。例えば、データの再生時には、当該ジョグダイヤル３０に再生速度や再生トラックの調整機能が割り当てられ、その回転量に応じて再生速度や再生トラックが調整される。また、例えば、モード切替専用スイッチであるメニュー選択スイッチが押下されれば、当該ジョグダイヤル３０にはメニュー項目選択機能や、項目設定値選択機能などが割り当てられる。このように単一の操作子に、複数の機能をモードに応じて割り当てる手法は従来の電子機器でも多用されている手法である。このような手法を採用することにより操作子の数を削減でき、ひいては、コストを低減できる。ここで、再生速度調整機能やメニュー選択機能などのように特定の場面でしか必要とならない機能であれば、記録再生状況やモード切替専用操作子の操作により割当切替を行っても問題ない。
【００２２】
しかし、例えば、表示部２６のコントラストや輝度値調整のように、どのような場面でも必要となる機能の場合には、記録再生状況やモード切替専用操作子の操作で割当切替を行うことが問題となる。すなわち、いずれの場面でも必要となる機能であるため、記録再生状況に応じて機能割当を切り替えることは望ましくない。また、コントラスト調整モードに切り替えるための専用スイッチを設けることも考えられるが、その場合、操作子増加に伴うコスト増加や、他の操作への支障をもたらす恐れがある。例えば、記録再生時にコントラスト調整を行いたい場合に専用スイッチを押下してコントラスト調整モードにした場合、今度は、再生速度調整を行うことができなくなってしまう。もちろん、コントラスト調整モードを解除することにより、再生速度を調整することができるが、操作数が増加し、煩雑であった。また、ユーザは、現在のモードを記憶し、操作しなければならず、誤操作が生じやすい。現在のモードを表示部２６に表示することも考えられるが、その場合、通常、記録再生時に表示される情報が表示できず、やはり、操作性に悪影響を与える。
【００２３】
そこで、本実施形態では、他の操作子、具体的には後述するディスプレイスイッチ２８との連携操作によりジョグダイヤル３０にコントラスト機能を割り当てている。具体的には、ディスプレイスイッチ２８が押下されている間だけ、ジョグダイヤル３０にコントラスト調整機能を割り当てている。ディスプレイスイッチ２８が押下されている状態でジョグダイヤル３０が操作されれば、その回転量等がコントラスト調整用の処理回路に出力される。逆に、ディスプレイスイッチ２８が押下されていない状態でジョグダイヤル３０が操作された場合、ジョグダイヤル３０には現在選択されているモードに応じた機能が割り当てられる。
【００２４】
このように、他の操作子と同時に操作された場合にのみジョグダイヤル３０にコントラスト調整機能を割り当てることにより、どのような場面であっても、簡易にコントラスト調整ができる。また、後述するように他の操作子として、表示内容切替機能が割り当てられているディスプレイスイッチ２８を用いることにより、コントラスト調整機能割当のための専用スイッチを不要とし、操作子を削減できる。その結果、コスト削減や、デザイン性の向上、操作パネルの小型化を図ることができる。
【００２５】
ディスプレイスイッチ２８は、ジョグダイヤル３０と所定距離離れた位置に設けられた押下式スイッチであり、ユーザからの押下が解除されれば初期状態（ＯＦＦ状態）に自動的に復帰するスイッチである。このディスプレイスイッチ２８は、表示部２６に表示される表示内容を切り替えるための操作子である。すなわち、データの記録再生の際、表示部２６には再生または記録状況が表示される。表示される再生記録状況の種類としては、総再生（記録）時間、現在再生中のトラックの再生時間、再生（記録）可能な残り時間、トラックの残り時間等がある。表示される再生記録状況の種類は、ディスプレイスイッチ２８を押下する度に（より正確には押下解除される度に）切り替えられる。したがって、ユーザは、表示部に表示される記録再生状況の種類を切り替えたい場合は、所望の記録再生状況種類になるまで繰り返し、当該ディスプレイスイッチ２８を押下する。
【００２６】
また、記述したように、当該ディスプレイスイッチ２８は、押下状態を維持することにより、ジョグダイヤル３０にコントラスト調整機能を割り当てることができる。すなわち、押下した後、押下解除することなく、ジョグダイヤル３０を操作すれば、コントラストを調整することができる。換言すれば、ディスプレイスイッチ２８には、表示される記録再生状況種類の切替機能と、ジョグダイヤル３０の割当機能の切替機能と、の２種類の機能が割り当てられていることになる。
【００２７】
ここで、本実施形態では、当該ディスプレイスイッチ２８が、いずれの機能を目的として押下されたかを押下時間に基づいて判別している。具体的には、押下時間が所定の基準時間未満である場合、表示される記録再生状況種類の切替を目的とした押下と判断し、当該押下が解除された時点で、記録再生状況種類を切り替える。一方、押下時間が所定の基準時間以上の場合、ジョグダイヤル３０の割当機能の切り替えを目的とした押下と判断し、押下解除されても、記録再生状況種類の表示切替を実行しない。
【００２８】
このように、押下時間に応じて、ディスプレイスイッチ２８の機能を切り替えることにより、ジョグダイヤル３０の割当機能の切替専用のスイッチを不要とすることができる。また、ディスプレイスイッチ２８の本来の機能（記録再生状況種類の切替）は、当該スイッチを押下したタイミングではなく、押下解除されたタイミングで実行される。したがって、ジョグダイヤル３０の割当機能の切替のために、当該スイッチを押下しても、表示内容は変更されない。換言すれば、表示内容を変更することなく、コントラスト調整が可能となる。さらに、ユーザは、ディスプレイスイッチ２８の押下操作により、ジョグダイヤル３０へのコントラスト調整機能が割り当てられたことを自然と意識することができる。したがって、割当機能の誤認識に基づく、誤操作を防止できる。また、ディスプレイスイッチ２８は、操作解除されれば、自然と初期状態に復帰する操作子である。したがって、コントラスト調整後、オフ状態への戻し忘れがなく、やはり、誤操作を防止できる。
【００２９】
表示部２６は、ＬＣＤから構成され、表示制御部１６の指示に応じて操作状況や記録再生状況等を表示する。表示部２６は、周囲の環境、例えば、明るさ等によって見え方が異なってくるため、コントラストやバックライトの強さ等の画質が調整できるようになっている。特に、ＬＣＤから構成される表示部２６は、明るさだけでなく、温度によってもコントラストが変化するため、画質調整機能は必須となる。コントラストの調整量は、記述したように操作パネル１４に設けられたジョグダイヤル３０の操作によって与えられ、表示制御部１６はジョグダイヤル３０の回転量および回転方向に応じてコントラストを調整する。
【００３０】
表示制御部１６は、表示部２６の表示状態を制御するもので、例えば、ＣＰＵや表示制御プログラム等で構成される。より具体的には、表示内容の変更や、画質、例えば、コントラストや輝度等を制御する。表示内容は、装置の操作状況や記録再生状況に応じて切り替えられる。例えば、データの記録再生時には記述した記録再生状況を表示し、メニュー選択スイッチが押下されれば、メニュー設定画面が表示される。また、コントラストや輝度等は、ユーザからの調整操作を受けて調整される。
【００３１】
記録再生部１８は、主制御部１２からの指示に応じて、光ディスクへのデータ記録、あるいは、光ディスクに記録されたデータの再生等を実行する。この記録再生部１８は、光ディスクにレーザ光を照射する光ピックアップや、光ディスクからの反射信号等を処理する信号処理回路などから構成される。
【００３２】
次に、コントラスト調整に関連する回路構成について図３を用いて説明する。図３は、コントラスト調整に関連する回路の概略構成を示す図である。コントラスト調整のための操作子としては、二種類の操作子、具体的には、ジョグダイヤル３０およびディスプレイスイッチ２８が用いられる。この二種類の操作子２８，３０の出力は、主制御部１２のＣＰＵ４０に出力される。ＣＰＵ４０は、二種類の操作子２８，３０の出力内容に応じて、表示制御部１６に指示を出力する。表示制御部１６は、デジタル値をアナログ値（電圧）に変換して出力するＤ／Ａコンバータ４２、入力された電圧値を増幅して出力するオペアンプ４４、および、ＬＣＤモジュール４６を備えている。ＬＣＤモジュール４６は、表示部２６を構成するＬＣＤ素子（図示せず）への印加電圧を制御するモジュールである。ＬＣＤ素子への印加電圧は、ＬＣＤモジュールの各端末ＶＤＤ〜ＶＥＥに印加される電圧により決まる。ここで、ＬＣＤのコントラストは、Ｖ０端子に印加する電圧を制御し、ＶＤＤ〜Ｖ０間の電圧値を変化させることにより制御できる。
【００３３】
この回路構成でのコントラスト調整について簡単に説明する。ＣＰＵ４０には、ジョグダイヤル３０およびディスプレイスイッチ２８の操作値が入力される。具体的には、ディスプレイスイッチ２８からは、当該スイッチの通電状態（押下状態）が入力される。また、ジョグダイヤル３０からは、当該ジョグダイヤル３０の回転に応じたパルス信号が入力される。このパルス信号は、ジョグダイヤル３０に設けられたロータリーエンコーダから出力される。ＣＰＵ４０は、このパルス信号に基づいてジョグダイヤル３０の回転量および回転方向を検出する。そして、ディスプレイスイッチ２８の通電状態に応じて、検出した回転量等の出力先を変更する。
【００３４】
具体的には、ディスプレイスイッチ２８がＯＦＦ状態の場合、検出した回転量および方向を他の回路に出力する。どの回路に出力されるかは、その際の選択されているモードにより異なり、例えば、再生速度変更モードの場合は、記録再生部１８の再生速度調整部へと出力される。一方、ディスプレイスイッチ２８がＯＮ状態の場合は、検出した回転量および回転方向に対応するデジタル値を表示制御部１６のＤ／Ａコンバータ４２に出力する。ここで、ジョグダイヤル３０の回転量は出力されるデジタル値の絶対値に、回転方向はデジタル値の符号に対応する。例えば、右方向への回転の場合にはその回転量に応じたマイナスの値が、左方向への回転の場合にはその回転量に応じたプラスの値が、出力される。
【００３５】
Ｄ／Ａコンバータ４２は、入力されたデジタル値をアナログ値の電圧に変換してオペアンプ４４に出力する。オペアンプ４４は、入力された電圧を増幅し、コントラスト制御電圧として、ＬＣＤモジュール４６のＶ０端子に出力する。ＬＣＤモジュール４６は、印加されたコントラスト制御電圧に応じて、ＬＣＤ素子への印加電圧を変更し、コントラストを制御する。これにより、表示部２６のコントラストが調整される。
【００３６】
なお、ＣＰＵ４０は、ディスプレイスイッチ２８のＯＮ状態持続時間も検出しており、検出された持続時間に基づいて当該スイッチのＯＮ信号を他の処理回路に出力するか否かを決定する。具体的には、ＯＮ状態持続時間が所定の基準時間以上の場合は、当該スイッチ２８のＯＮ信号を他の処理回路に出力しない。これは、このディスプレイスイッチ２８の押下が、コントラスト制御を目的とした押下であると判断できるからである。一方、ＯＮ状態持続時間が所定の基準時間未満の場合、当該スイッチ２８のＯＮ信号を、表示部２６に表示される表示内容切替用の処理回路に出力する。当該処理回路は、ＯＮ信号に基づいて、表示部２６に表示される記録再生状態の種類を切り替える。このように、ＯＮ状態持続時間に基づいて、ＯＮ信号の出力の有無を判断することにより、ディスプレイスイッチの押下が、コントラスト制御または表示内容切替のいずれを目的としたものかを判断でき、ユーザの意図に応じた制御が可能となる。さらに、コントラスト制御を目的としてディスプレイスイッチ２８を押下した場合には、表示部２６に表示される内容が変化しないため、ユーザは所望の画面においてコントラスト調整が可能となる。
【００３７】
次に、この光ディスク装置１０におけるコントラスト調整の流れについて図４のフローチャートを用いて説明する。コントラスト調整を行う場合、ユーザは、まず、ディスプレイスイッチ２８を押下する（Ｓ１０）。次に、その押下状態を維持したまま、ジョグダイヤル３０を回転操作（Ｓ１４，Ｓ１８）し、コントラストを制御する。具体的には、ユーザは、表示部２６での表示状態を確認し、コントラストが弱いと判断すればジョグダイヤル３０を右方向に回転させる（Ｓ１２，Ｓ１４）。一方、コントラストが強いと判断すればジョグダイヤル３０を左方向に回転させる（Ｓ１６，１８）。このジョグダイヤル３０の回転を繰り返し、所望のコントラストになれば、ジョグダイヤルの回転操作を中止し（Ｓ２０）、ディスプレイスイッチ２８の押下も解除する（Ｓ２２）。
【００３８】
ここで、ジョグダイヤル３０にコントラスト調整機能を割り当てる際には、必ず、ディスプレイスイッチ２８の押下（Ｓ１０）という操作が必要となる。この押下操作によって、ユーザはジョグダイヤル３０の割当機能がコントラスト調整機能に変更されたことを意識することができる。したがって、ジョグダイヤル３０への割当機能を誤解したことによって生じる誤操作を防止できる。また、コントラスト調整機能が不要になれば、ユーザは、必ず、ディスプレイスイッチ２８の押下解除という操作を実行する。これにより、コントラスト調整機能の割当解除を忘れることがなく、やはり、誤操作を防止できる。つまり、本実施形態のように、二操作（ディスプレイスイッチ押下、および、ジョグダイヤル回転）によってコントラスト調整を実現することにより、誤操作を防止することができる。
【００３９】
以上、説明したように、本実施形態によれば、どのような場面であっても簡易にコントラストを調整することができる。なお、本実施形態では、コントラスト調整機能に関与する操作子として、ディスプレイスイッチ２８およびジョグダイヤル３０を例示したが、当然、他の操作子を用いてもよい。例えば、ディスプレイスイッチ２８に替えて、他の操作子を用いてもよい。ただし、その場合であっても、ユーザからの操作が解除された時点で初期状態に復帰する操作子であることが望ましい。ＯＮ状態の解除忘れに起因する誤操作を防止するためである。また、ディスプレイスイッチのように表示に関係する機能が割り当てられた操作子であることが望ましい。表示に関係する操作子であれば、コントラスト調整を連想しやすく、ユーザが覚えやすいからである。
【００４０】
また、ジョグダイヤル３０に替えて他の操作子、例えば、通常の押下式スイッチ等を用いてもよい。その場合は、押下式スイッチの押下時間に応じてコントラストを変更するようにすればよい。例えば、押下式スイッチの押下している間は、コントラスト弱からコントラスト強までの変化を繰り返すようにすればよい。すなわち、押下式スイッチを押下している間は、所定の傾斜でコントラストを強めていく。そして、最も強いコントラストに至れば、今度は、最も弱いコントラストに移り、再度、所定の傾斜でコントラストを強めていく。ユーザは、所望のコントラストになった時点で、当該押下式スイッチの押下を解除すればよい。なお、この場合であっても、他の操作子、例えば、ディスプレイスイッチ２８などと連携操作により、コントラスト調整モードに移行させる。
【００４１】
また、本実施形態では、ＬＣＤのコントラスト調整を例示しているが、画質に関係する他のパラメータの調整に適用してもよい。例えば、ＬＣＤのバックライトの強度調整等に適用してもよい。
【図面の簡単な説明】
【００４２】
【図１】本発明の実施形態である光ディスク装置の概略構成を示すブロック図である。
【図２】光ディスク装置の正面図である。
【図３】コントラスト調整に関連する回路の概略構成を示す図である。
【図４】コントラスト調整の流れを示すフローチャートである。
【符号の説明】
【００４３】
１０  光ディスク装置、１２  主制御部、１４  操作パネル、１６  表示制御部、１８  記録再生部、２０  接続線、２６  表示部、２８  ディスプレイスイッチ、３０  ジョグダイヤル、４２  Ｄ／Ａコンバータ、４４  オペアンプ、４６  ＬＣＤモジュール。
【図１】
2006119396.tif 000003
【図２】
2006119396.tif 000004
【図３】
2006119396.tif 000005
【図４】
2006119396.tif 000006